(57)【特許請求の範囲】
【請求項１】
アニメーション表示を構成する画像データが記憶されている画像データベースと、
前記アニメーション表示を行う制御部と
を備え、
前記制御部は、
前記アニメーション表示を行う場所で収集可能な環境パラメータ、および前記アニメーション表示を視認するユーザに対応して収集可能なユーザパラメータとして設定される流動的パラメータを受信し、
表示パラメータとしてあらかじめ設定される非流動的パラメータを受信し、
前記流動的パラメータおよび前記非流動的パラメータに基づいて、前記画像データベースから取得した前記画像データの表示処理を流動的に変化させることで前記アニメーション表示を行い、
前記画像データベースは、前記アニメーション表示を構成する前記画像データが、前記表示パラメータと関連付けられた一連の画像データとして記憶されており、
前記制御部は、
前記表示パラメータと、表示パターンと、前記アニメーション表示による誘導の優先度を示す第１パラメータとが関連付けられた固定指示データがあらかじめ記憶されている固定指示データベースから、前記表示パラメータの入力に応じた前記表示パターンおよび前記第１パラメータを取得し、
前記表示パターンに応じた一連の画像データを、投影用画像データとして前記画像データベースから取得し、
前記環境パラメータと前記アニメーション表示を行う際の変化度合とが関連付けられた周辺環境データがあらかじめ記憶されている周辺環境データベースから、前記環境パラメータの入力に応じた変化度合を第２パラメータとして取得し、
前記ユーザパラメータと前記アニメーション表示を行う際の変化度合とが関連付けられたユーザ情報データがあらかじめ記憶されているユーザ情報データベースから、前記ユーザパラメータの入力に応じた変化度合を第３パラメータとして取得し、
前記第１パラメータ、前記第２パラメータ、および前記第３パラメータに従って前記投影用画像データを流動的に変化させることで前記アニメーション表示を行う
アニメーション表示装置。
【請求項２】
アニメーション表示を構成する画像データが記憶されている画像データベースと、
前記アニメーション表示を行う制御部と
を備え、
前記制御部は、
前記アニメーション表示を行う場所で収集可能な環境パラメータ、および前記アニメーション表示を視認するユーザに対応して収集可能なユーザパラメータとして設定される流動的パラメータを受信し、
表示パラメータとしてあらかじめ設定される非流動的パラメータを受信し、
前記流動的パラメータおよび前記非流動的パラメータに基づいて、前記画像データベースから取得した前記画像データの表示処理を流動的に変化させることで前記アニメーション表示を行い、
前記画像データベースは、前記アニメーション表示を構成する前記画像データが、前記表示パラメータ、前記環境パラメータ、および前記ユーザパラメータの少なくとも何れか１つと関連付けられたパーツごとの画像データとして記憶されており、
前記制御部は、
前記表示パラメータと、第１表示パターンと、前記アニメーション表示による誘導の優先度を示す第１パラメータとが関連付けられた固定指示データがあらかじめ記憶されている固定指示データベースから、前記表示パラメータの入力に応じた前記第１表示パターンおよび前記第１パラメータを取得し、
前記環境パラメータと、第２表示パターンと、前記アニメーション表示を行う際の変化度合とが関連付けられた周辺環境データがあらかじめ記憶されている周辺環境データベースから、前記環境パラメータの入力に応じた第２表示パターンを取得するとともに、前記環境パラメータの入力に応じた変化度合を第２パラメータとして取得し、
前記ユーザパラメータと、第３表示パターンと、前記アニメーション表示を行う際の変化度合とが関連付けられたユーザ情報データがあらかじめ記憶されているユーザ情報データベースから、前記ユーザパラメータの入力に応じた第２表示パターンを取得するとともに、前記ユーザパラメータの入力に応じた変化度合を第３パラメータとして取得し、
前記第１表示パターン、前記第２表示パターン、および前記第３表示パターンのそれぞれの表示パターンに応じたパーツごとの画像データを投影用画像データとして前記画像データベースから取得し、
前記第１パラメータ、前記第２パラメータ、および前記第３パラメータに従って、前記投影用画像データに含まれるそれぞれのパーツごとの画像を流動的に変化させることで前記アニメーション表示を行う
アニメーション表示装置。
【請求項３】
アニメーション表示を構成する画像データが記憶されている画像データベースと、
前記アニメーション表示を行う制御部と
を備え、
前記制御部は、
前記アニメーション表示を行う場所で収集可能な環境パラメータ、および前記アニメーション表示を視認するユーザに対応して収集可能なユーザパラメータとして設定される流動的パラメータを受信し、
表示パラメータとしてあらかじめ設定される非流動的パラメータを受信し、
前記流動的パラメータおよび前記非流動的パラメータに基づいて、前記画像データベースから取得した前記画像データの表示処理を流動的に変化させることで前記アニメーション表示を行い、
前記画像データベースは、前記アニメーション表示を構成する前記画像データが、固定表示される基本画像と、前記アニメーション表示を行うために順次切り替えて表示される複数の誘導画像との組合せで構成された画像データとして記憶されており、
前記制御部は、
前記表示パラメータと、選択すべき基本画像を示す第１パラメータとが関連付けられた固定指示データがあらかじめ記憶されている固定指示データベースから、前記表示パラメータの入力に応じた前記第１パラメータを取得し、
前記環境パラメータと、第１パラメータと、前記アニメーション表示を行う際の変化度合とが関連付けられた周辺環境データがあらかじめ記憶されている周辺環境データベースから、前記環境パラメータの入力および前記第１パラメータに応じた変化度合を第２パラメータとして取得し、
前記ユーザパラメータと、前記アニメーション表示を行う際の変化度合とが関連付けられたユーザ情報データがあらかじめ記憶されているユーザ情報データベースから、前記ユーザパラメータの入力に応じた変化度合を第３パラメータとして取得し、
前記第１パラメータに応じた基本画像を前記画像データベースから取得し、前記第２パラメータに応じた誘導画像を前記画像データベースから取得し、取得した前記基本画像および前記誘導画像を統合することで、投影用画像データを生成し、
前記第３パラメータに従って、前記投影用画像データに含まれる前記誘導画像を流動的に変化させることで前記アニメーション表示を行う
アニメーション表示装置。
【請求項４】
前記周辺環境データの構成要素である前記環境パラメータは、システム利用環境における規定の場所の混雑度、前記アニメーション表示を行う場所の天候、照度、投影先の素材、および投影先の色温度の少なくともいずれか１つを含んで構成される
請求項１から３のいずれか１項に記載のアニメーション表示装置。
【請求項５】
前記ユーザ情報データの構成要素である前記ユーザパラメータは、前記アニメーション表示を視認する前記ユーザの移動速度、および前記ユーザの身体的な特徴に関するデータの少なくともいずれか１つを含んで構成される
請求項１から４のいずれか１項に記載のアニメーション表示装置。
【請求項６】
前記固定指示データの構成要素である前記表示パターンは、前記アニメーション表示を行う際の投影サイズおよび投影標準速度に関するデータの少なくともいずれか１つを含んで構成される
請求項１または２に記載のアニメーション表示装置。
【請求項７】
前記制御部は、
前記アニメーション表示の実行結果として、前記ユーザの移動結果情報を取得し、
前記移動結果情報に従って前記投影用画像データをさらに流動的に変化させることで前記アニメーション表示を行う
請求項１から６のいずれか１項に記載のアニメーション表示装置。
【請求項８】
アニメーション表示を行う場所で収集可能な環境パラメータ、および前記アニメーション表示を視認するユーザに対応して収集可能なユーザパラメータを流動的パラメータとして受信するステップと、
表示パラメータとしてあらかじめ設定される非流動的パラメータを受信するステップと、
前記流動的パラメータおよび前記非流動的パラメータに基づいて、前記アニメーション表示を構成する画像データが記憶されている画像データベースから前記アニメーション表示を行うための前記画像データを取得するステップと、
前記流動的パラメータおよび前記非流動的パラメータに基づいて、取得した前記画像データの表示処理を流動的に変化させることで前記アニメーション表示を行うステップと
を備えるアニメーション表示方法であって、
前記画像データベースは、前記アニメーション表示を構成する前記画像データが、前記表示パラメータと関連付けられた一連の画像データとして記憶されており、
前記表示パラメータと、表示パターンと、前記アニメーション表示による誘導の優先度を示す第１パラメータとが関連付けられた固定指示データがあらかじめ記憶されている固定指示データベースから、前記表示パラメータの入力に応じた前記表示パターンおよび前記第１パラメータを取得するステップと、
前記表示パターンに応じた一連の画像データを、投影用画像データとして前記画像データベースから取得するステップと、
前記環境パラメータと前記アニメーション表示を行う際の変化度合とが関連付けられた周辺環境データがあらかじめ記憶されている周辺環境データベースから、前記環境パラメータの入力に応じた変化度合を第２パラメータとして取得するステップと、
前記ユーザパラメータと前記アニメーション表示を行う際の変化度合とが関連付けられたユーザ情報データがあらかじめ記憶されているユーザ情報データベースから、前記ユーザパラメータの入力に応じた変化度合を第３パラメータとして取得するステップと、
前記第１パラメータ、前記第２パラメータ、および前記第３パラメータに従って前記投影用画像データを流動的に変化させることで前記アニメーション表示を行うステップと
をさらに備えるアニメーション表示方法。
【請求項９】
アニメーション表示を行う場所で収集可能な環境パラメータ、および前記アニメーション表示を視認するユーザに対応して収集可能なユーザパラメータを流動的パラメータとして受信するステップと、
表示パラメータとしてあらかじめ設定される非流動的パラメータを受信するステップと、
前記流動的パラメータおよび前記非流動的パラメータに基づいて、前記アニメーション表示を構成する画像データが記憶されている画像データベースから前記アニメーション表示を行うための前記画像データを取得するステップと、
前記流動的パラメータおよび前記非流動的パラメータに基づいて、取得した前記画像データの表示処理を流動的に変化させることで前記アニメーション表示を行うステップと
を備えるアニメーション表示方法であって、
前記画像データベースは、前記アニメーション表示を構成する前記画像データが、前記表示パラメータ、前記環境パラメータ、および前記ユーザパラメータの少なくとも何れか１つと関連付けられたパーツごとの画像データとして記憶されており、
前記表示パラメータと、第１表示パターンと、前記アニメーション表示による誘導の優先度を示す第１パラメータとが関連付けられた固定指示データがあらかじめ記憶されている固定指示データベースから、前記表示パラメータの入力に応じた前記第１表示パターンおよび前記第１パラメータを取得するステップと、
前記環境パラメータと、第２表示パターンと、前記アニメーション表示を行う際の変化度合とが関連付けられた周辺環境データがあらかじめ記憶されている周辺環境データベースから、前記環境パラメータの入力に応じた第２表示パターンを取得するとともに、前記環境パラメータの入力に応じた変化度合を第２パラメータとして取得するステップと、
前記ユーザパラメータと、第３表示パターンと、前記アニメーション表示を行う際の変化度合とが関連付けられたユーザ情報データがあらかじめ記憶されているユーザ情報データベースから、前記ユーザパラメータの入力に応じた第２表示パターンを取得するとともに、前記ユーザパラメータの入力に応じた変化度合を第３パラメータとして取得するステップと、
前記第１表示パターン、前記第２表示パターン、および前記第３表示パターンのそれぞれの表示パターンに応じたパーツごとの画像データを投影用画像データとして前記画像データベースから取得するステップと、
前記第１パラメータ、前記第２パラメータ、および前記第３パラメータに従って、前記投影用画像データに含まれるそれぞれのパーツごとの画像を流動的に変化させることで前記アニメーション表示を行うステップと
をさらに備えるアニメーション表示方法。
【請求項１０】
アニメーション表示を行う場所で収集可能な環境パラメータ、および前記アニメーション表示を視認するユーザに対応して収集可能なユーザパラメータを流動的パラメータとして受信するステップと、
表示パラメータとしてあらかじめ設定される非流動的パラメータを受信するステップと、
前記流動的パラメータおよび前記非流動的パラメータに基づいて、前記アニメーション表示を構成する画像データが記憶されている画像データベースから前記アニメーション表示を行うための前記画像データを取得するステップと、
前記流動的パラメータおよび前記非流動的パラメータに基づいて、取得した前記画像データの表示処理を流動的に変化させることで前記アニメーション表示を行うステップと
を備えるアニメーション表示方法であって、
前記画像データベースは、前記アニメーション表示を構成する前記画像データが、固定表示される基本画像と、前記アニメーション表示を行うために順次切り替えて表示される複数の誘導画像との組合せで構成された画像データとして記憶されており、
前記表示パラメータと、選択すべき基本画像を示す第１パラメータとが関連付けられた固定指示データがあらかじめ記憶されている固定指示データベースから、前記表示パラメータの入力に応じた前記第１パラメータを取得するステップと、
前記環境パラメータと、第１パラメータと、前記アニメーション表示を行う際の変化度合とが関連付けられた周辺環境データがあらかじめ記憶されている周辺環境データベースから、前記環境パラメータの入力および前記第１パラメータに応じた変化度合を第２パラメータとして取得するステップと、
前記ユーザパラメータと、前記アニメーション表示を行う際の変化度合とが関連付けられたユーザ情報データがあらかじめ記憶されているユーザ情報データベースから、前記ユーザパラメータの入力に応じた変化度合を第３パラメータとして取得するステップと、
前記第１パラメータに応じた基本画像を前記画像データベースから取得し、前記第２パラメータに応じた誘導画像を前記画像データベースから取得し、取得した前記基本画像および前記誘導画像を統合することで、投影用画像データを生成するステップと、
前記第３パラメータに従って、前記投影用画像データに含まれる前記誘導画像を流動的に変化させることで前記アニメーション表示を行うステップと
をさらに備えるアニメーション表示方法。
【発明の詳細な説明】
【技術分野】
【０００１】
本発明は、アニメーション表示を流動的に変化させるアニメーション表示装置およびアニメーション表示方法に関する。
【背景技術】
【０００２】
従来技術として、簡単な操作で、表示する画像を変化させることができる電子機器がある（例えば、特許文献１参照）。特許文献１に係る電子機器は、検出した被写体の動きに基づいて、画像表示部に表示する画像を変化させる制御部を備えている。【０００３】
具体的には、特許文献１では、被写体の動きと動画の操作とが対応付けられて、記憶部に記憶されている。例えば、操作者が手で、時計回りの円を描けば早送り、反時計回りの円を描けば巻き戻し等の関係が記憶部に記憶されている。【０００４】
このような対応関係が記憶されている場合、例えば、ユーザが手により空中に時計回りの円を描く動作を行うと、制御部は、この動作を解析することで、早送り操作を行うように投影画像を操作する。また、特許文献１では、映像として字幕を表示させる場合には、ユーザの動きによって字幕の表示、非表示、または表示させる字幕の種類を切り替えるようにすることができる。【０００５】
すなわち、特許文献１に係る電子機器は、ユーザの動きに応じて、表示する画面を変化させることができ、ユーザは、あらかじめ対応付けられた動作を行うのみで、表示画像を変化させることができる。
【先行技術文献】
【特許文献】
【０００６】
【特許文献１】特許５２５４９０６号公報
【発明の概要】
【発明が解決しようとする課題】
【０００７】
上述したように、特許文献１に係る電子機器は、あらかじめ記憶されたユーザの動きに応じて表示画像を変化させることができる。しかしながら、表示画像を視認可能なユーザに対して、ユーザ以外の不特定多数の他人がいるなどの表示場所の状況において移動方向を促すようなアニメーション表示を行う場合には、ユーザのあらかじめ決められた特定な動きに応じて表示画像を変化させるだけでは、必ずしも適切なアニメーション表示を実現することができない。【０００８】
ユーザに対して移動方向を促すようなアニメーション表示を行う場合には、ユーザの流動的な動きに関するパラメータとともに、ユーザの動き以外のパラメータを考慮することで、より適切なアニメーション表示を実現できるようになると考えられる。【０００９】
換言すると、アニメーション表示を視認可能なユーザに対して、ユーザ以外の不特定多数の他人がいる状況において移動方向を促すようなアニメーション表示を行わせたい場合には、特許文献１に係る技術をそのまま適用すると、以下のような問題がある。すなわち、特許文献１に係る技術は、状況に応じて流動的に変化するユーザの動きに関するパラメータに応じたあらかじめ決められた特定なアニメーション表示しか行うことができず、ユーザの動き以外のパラメータを考慮したアニメーション表示を行わせることができない。従って、アニメーション表示を視認可能なユーザが、移動方向をより識別しやすいようにするアニメーション表示が望まれている。【００１０】
本発明は、前記のような課題を解決するためになされたものであり、ユーザ以外の不特定多数の他人がいるなどの表示場所の状況に応じて、ユーザに対して移動方向を識別しやすくするアニメーション表示を行うアニメーション表示装置およびアニメーション表示方法を得ることを目的とする。
【課題を解決するための手段】
【００１１】
本発明に係るアニメーション表示装置は、アニメーション表示を構成する画像データが記憶されている画像データベースと、アニメーション表示を行う制御部とを備え、制御部は、アニメーション表示を行う場所で収集可能な環境パラメータ、およびアニメーション表示を視認するユーザに対応して収集可能なユーザパラメータとして設定される流動的パラメータを受信し、表示パラメータとしてあらかじめ設定される非流動的パラメータを受信し、流動的パラメータおよび非流動的パラメータに基づいて、画像データベースから取得した画像データの表示処理を流動的に変化させることでアニメーション表示を行い、
画像データベースは、アニメーション表示を構成する画像データが、表示パラメータと関連付けられた一連の画像データとして記憶されており、制御部は、表示パラメータと、表示パターンと、アニメーション表示による誘導の優先度を示す第１パラメータとが関連付けられた固定指示データがあらかじめ記憶されている固定指示データベースから、表示パラメータの入力に応じた表示パターンおよび第１パラメータを取得し、表示パターンに応じた一連の画像データを、投影用画像データとして画像データベースから取得し、環境パラメータとアニメーション表示を行う際の変化度合とが関連付けられた周辺環境データがあらかじめ記憶されている周辺環境データベースから、環境パラメータの入力に応じた変化度合を第２パラメータとして取得し、ユーザパラメータとアニメーション表示を行う際の変化度合とが関連付けられたユーザ情報データがあらかじめ記憶されているユーザ情報データベースから、ユーザパラメータの入力に応じた変化度合を第３パラメータとして取得し、第１パラメータ、第２パラメータ、および第３パラメータに従って投影用画像データを流動的に変化させることでアニメーション表示を行うものである。
【００１２】
また、本発明に係るアニメーション表示方法は、アニメーション表示を行う場所で収集可能な環境パラメータ、およびアニメーション表示を視認するユーザに対応して収集可能なユーザパラメータを流動的パラメータとして受信するステップと、表示パラメータとしてあらかじめ設定される非流動的パラメータを受信するステップと、流動的パラメータおよび非流動的パラメータに基づいて、アニメーション表示を構成する画像データが記憶されている画像データベースからアニメーション表示を行うための画像データを取得するステップと、流動的パラメータおよび非流動的パラメータに基づいて、取得した画像データの表示処理を流動的に変化させることでアニメーション表示を行うステップとを備えるアニメーション表示方法であって、画像データベースは、アニメーション表示を構成する画像データが、表示パラメータと関連付けられた一連の画像データとして記憶されており、表示パラメータと、表示パターンと、アニメーション表示による誘導の優先度を示す第１パラメータとが関連付けられた固定指示データがあらかじめ記憶されている固定指示データベースから、表示パラメータの入力に応じた表示パターンおよび第１パラメータを取得するステップと、表示パターンに応じた一連の画像データを、投影用画像データとして画像データベースから取得するステップと、環境パラメータとアニメーション表示を行う際の変化度合とが関連付けられた周辺環境データがあらかじめ記憶されている周辺環境データベースから、環境パラメータの入力に応じた変化度合を第２パラメータとして取得するステップと、ユーザパラメータとアニメーション表示を行う際の変化度合とが関連付けられたユーザ情報データがあらかじめ記憶されているユーザ情報データベースから、ユーザパラメータの入力に応じた変化度合を第３パラメータとして取得するステップと、第１パラメータ、第２パラメータ、および第３パラメータに従って投影用画像データを流動的に変化させることでアニメーション表示を行うステップとをさらに備えるものである。
【発明の効果】
【００１３】
本発明によれば、表示パラメータとして取得されるあらかじめ設定される非流動的パラメータと、環境パラメータおよびユーザパラメータとして取得される流動的パラメータとに基づいて画像データの表示処理を流動的に変化させることでアニメーション表示を行う構成が備えられている。この結果、ユーザ以外の不特定多数の他人がいるなどの表示場所の状況に応じて、ユーザに対して移動方向を識別しやすくするアニメーション表示を行うアニメーション表示装置およびアニメーション表示方法を得ることができる。
【図面の簡単な説明】
【００１４】
【図１】本発明の実施の形態１に係るアニメーション表示装置の構成を示す機能ブロック図である。
【図２】本発明の実施の形態１における手法１を適用する際の、各データベースのデータ構造を示した説明図である。
【図３】本発明の実施の形態１に係る制御部において、手法１を適用してアニメーション表示を実行する際の一連処理を示したフローチャートである。
【図４】本発明の実施の形態１における手法２を適用する際の、各データベースのデータ構造を示した説明図である。
【図５】本発明の実施の形態１に係る制御部において、手法２を適用してアニメーション表示を実行する際の一連処理を示したフローチャートである。
【図６】本発明の実施の形態１における手法３を適用する際の、各データベースのデータ構造を示した説明図である。
【図７】本発明の実施の形態１に係る制御部において、手法３を適用してアニメーション表示を実行する際の一連処理を示したフローチャートである。
【図８】本発明の実施の形態１における具体例１で用いられる一連の画像データを示した図である。
【図９】図８に示した一連の画像データに対して、表示パラメータ、環境パラメータ、およびユーザパラメータに基づいて、手法２によりアニメーション表示を流動的に変化させる一例を示した図である。
【図１０】図８および図９で説明したアニメーション表示が行われた状態を示した図である。
【図１１】図８および図９で説明したアニメーション表示が行われた状態を示した図である。
【図１２】イベント会場においてアニメーション表示が行われた状態を示した図である。
【図１３】本発明の実施の形態１に係るアニメーション表示装置の各機能を専用のハードウェアである処理回路で実現する場合を示した構成図である。
【図１４】本発明の実施の形態１に係るアニメーション表示装置の各機能をプロセッサおよびメモリを備えた処理回路により実現する場合を示した構成図である。
【発明を実施するための形態】
【００１５】
以下、本発明のアニメーション表示装置およびアニメーション表示方法の実施の形態の例につき、図面を用いて説明する。
【００１６】
実施の形態１．
図１は、本発明の実施の形態１に係るアニメーション表示装置の構成を示す機能ブロック図である。本実施の形態１に係るアニメーション表示装置１０は、制御部１１、投影部１２、および画像データベース１３を備えて構成されている。また、制御部１１は、固定指示データベース２１、周辺環境データベース２２、およびユーザ情報データベース２３から、アニメーション表示を行うために必要なデータを取得できる構成となっている。
【００１７】
画像データベース１３内には、アニメーション表示を構成する画像データが記憶されている。制御部１１には、外部信号として、表示パラメータ、環境パラメータ、およびユーザパラメータが入力される。
【００１８】
ここで、表示パラメータは、アニメーション表示に用いられる画像を特定するために、アニメーション表示を行う施設の管理者等が設定変更可能なパラメータである。ただし、表示パラメータは、アニメーション表示中には変化しない非流動的パラメータに相当する。なお、表示パラメータが外部パラメータとして入力される構成例を説明しているが、アニメーション表示装置１０が入力部（不図示）を備え、施設の管理者が直接表示パラメータを、入力部を介して入力する構成としてもよい。
【００１９】
環境パラメータは、アニメーション表示を行う場所で収集可能なパラメータである。また、ユーザパラメータは、アニメーション表示を視認するユーザに対応して収集可能なパラメータである。環境パラメータおよびユーザパラメータは、アニメーション表示中に流動的に変化する流動的パラメータに相当する。
【００２０】
制御部１１は、外部信号として受信した流動的パラメータおよび非流動的パラメータに基づいて、固定指示データベース２１、周辺環境データベース２２、およびユーザ情報データベース２３から、アニメーション表示を流動的に変化させるための各種パラメータを抽出するとともに、画像データベースから画像データを取得する。さらに、制御部１１は、取得した画像データの表示処理を、抽出した各種パラメータに基づいて流動的に変化させることでアニメーション表示を行う。
【００２１】
なお、図１に示した構成では、制御部１１が、投影部１２を介してアニメーション表示を行う場合を例示している。しかしながら、投影部１２の機能を制御部１１に含めた構成とし、制御部１１がアニメーション表示を直接行わせるようにすることも可能である。また、図１に示した構成では、制御部１１と投影部１２を備えるアニメーション表示装置１０である場合を例示している。しかしながら、アニメーション表示装置１０は、制御部１１のみを備える構成であり、制御部１１が投影部１２を備えるアニメーション表示装置１０とは別体の投影装置に対して、投影するアニメーションに関する情報を送信する構成とすることも可能である。
【００２２】
上述した図１の基本構成に基づいて、制御部１１により画像データの表示処理を流動的に変化させることで、アニメーション表示を行う具体的な手法としては、以下の４つを挙げることができ、個別に、具体的な内容を説明する。
【００２３】
［手法１］手法１は、以下の特徴を有する。
・表示する一連の画像データ自体は変更しない。
・外部信号に応じて、固定指示データベース２１、周辺環境データベース２２、およびユーザ情報データベース２３の各データベースから取得したパラメータの組み合わせに基づいて、アニメーションの変化度合を求める。
・一連の画像データに従った投影用画像データを、求めた変化度合に従って流動的に変化させることにより、アニメーション表示を行う。
【００２４】
なお、アニメーション表示を行う表示内容としては、例えば以下のようなものが挙げられる。
表示内容１：空港におけるゲート案内表示
表示内容２：イベント会場における各イベントへの誘導表示
表示内容３：テーマパークにおける各イベントへの誘導表示
以下の例では、空港ロビーにおいてユーザを空いているゲートに誘導する例について説明する。
【００２５】
図２は、本発明の実施の形態１における手法１を適用する際の、各データベースのデータ構造を示した説明図である。画像データベース１３、固定指示データベース２１、周辺環境データベース２２、およびユーザ情報データベース２３のそれぞれに関するデータ構造を、図２を用いて以下に説明する。
【００２６】
＜画像データベース１３のデータ構造＞
アニメーション表示を構成する画像データが、表示パラメータと関連付けられた一連の画像データとして、画像データベース１３内に記憶されている。図２では、ＩＭＧ（１）、ＩＭＧ（２）、ＩＭＧ（３）の３枚の画像からなる一連の画像データ１が、画像データベース１３内に記憶されている場合を例示している。
【００２７】
＜固定指示データベース２１のデータ構造＞
固定指示データベース２１に格納されている固定指示データは、表示パラメータ、投影サイズ、投影標準速度、および第１パラメータからなる各構成要素が互いに関連付けられて構成されている。図２において、表示パラメータは、選択される一連の画像データの情報、およびアニメーション表示による誘導の優先度を示す情報を含んで構成されている。
【００２８】
投影サイズは、アニメーション表示を行う画像の外形寸法であり、図２では、１ｍ×１ｍの値が標準の投影サイズとして設定されている。また、投影標準速度は、アニメーション表示に用いられる投影速度であり、図２では、１０ｃｍ／ｓが標準の投影速度として設定されている。投影サイズおよび投影標準速度は、アニメーションの表示パターンを決定する。
【００２９】
また、第１パラメータは、表示パラメータに含まれている優先度に関する情報を数値化したものであり、図２の例では以下のように設定されている。
優先度が低の場合  第１パラメータ＝１
優先度が中の場合  第１パラメータ＝２
優先度が高の場合  第１パラメータ＝３
【００３０】
＜周辺環境データベース２２のデータ構造＞
周辺環境データベース２２に格納されている周辺環境データは、環境パラメータおよび第２パラメータからなる各構成要素が互いに関連付けられて構成されている。図２において、環境パラメータは、空港ロビーにおける対象ゲートの混雑度に関する情報を含んで構成されている。また、第２パラメータは、環境パラメータに含まれている混雑度に関する情報を数値化したものであり、図２の例では以下のように設定されている。
混雑度が高の場合  第２パラメータ＝１
混雑度が中の場合  第２パラメータ＝２
混雑度が低の場合  第２パラメータ＝３
【００３１】
対象ゲートの混雑度が高いほど第２パラメータ値が小さい値となっているのは、混雑度が高いほど、ユーザを対象ゲートに誘導する必要性が低くなるためである。
【００３２】
なお、環境パラメータは、上述したようなシステム利用環境における規定の場所の混雑度に関するデータ以外にも、アニメーションを表示する場所の天候、照度、投影先の素材、投影先の色温度、等に関するデータの少なくともいずれか１つを含むこともできる。
【００３３】
＜ユーザ情報データベース２３のデータ構造＞
ユーザ情報データベース２３に格納されているユーザ情報データは、ユーザパラメータおよび第３パラメータからなる各構成要素が互いに関連付けられて構成されている。図２において、ユーザパラメータは、アニメーション表示を視認するユーザの移動速度に関する情報を含んで構成されている。そして、第３パラメータは、ユーザの移動速度に関する情報を数値化したものであり、図２の例では以下のように設定されている。
移動速度が０．０＜Ｘ≦５．０の場合    第３パラメータ＝１
移動速度が５．０＜Ｘ≦１０．０の場合  第３パラメータ＝２
移動速度が１０．０＜Ｘの場合          第３パラメータ＝３
【００３４】
人の移動速度が速いほど第３パラメータの値が高い値となっているのは、移動速度が速い人ほど投影された投影画像に気付きにくくなるため、アニメーションを強調し、注目しやすくする必要があるためである。
【００３５】
なお、ユーザパラメータは、アニメーション表示を視認するユーザの移動速度に関するデータ以外にも、ユーザの身体的な特徴に関するデータ、および国籍、移動先、目的等に関するデータの少なくともいずれか１つを含む。また、ユーザの身体的な特徴としては、ユーザの年齢、性別、車椅子または自転車の利用の有無などが挙げられる。
【００３６】
ここで、上述した表示パラメータ、環境パラメータ、およびユーザパラメータについて補足説明する。
【００３７】
表示パラメータは、アニメーション表示を行う施設の管理者が、施設の現状に応じて設定変更できる。例えば、空港にてイベントがある場合には、開催されるイベントに合わせた特殊なアニメーション表示を行う設定としてもよいし、投影標準速度を速くしても、投影サイズを小さくしてもよい。所望の表示パラメータに対応する一連の画像データを画像データベース１３内に事前に記憶させておくとともに、所望の表示パラメータに対応する固定指示データを作成しておくことで、所望の表示パラメータの設定変更に対応したアニメーション表示を実現できる。
【００３８】
また、環境パラメータは、例えば、アニメーション表示を行う周辺環境の混雑度、あるいは誘導先の混雑度を定量的に収集可能な監視カメラなどの装置によって収集される。
【００３９】
また、ユーザパラメータは、例えば、アニメーション表示を行う場所におけるユーザの移動速度を定量的に収集可能な速度センサなどの装置によって収集される。あるいは、ユーザがＩＤカードなどユーザに関連する情報を記憶した媒体を所持しており、その媒体からカードリーダーなどの情報取得装置によってユーザパラメータを収集してもよい。また、空港の職員が入力した情報からユーザパラメータを抽出することで、ユーザパラメータを収集してもよい。
【００４０】
また、固定指示データベース２１内の固定指示データ、周辺環境データベース２２内の周辺環境データ、およびユーザ情報データベース２３内のユーザ情報データの各値は、状況に応じて変更することができる。
【００４１】
次に、手法１において、外部信号に応じて特定された第１パラメータ、第２パラメータ、および第３パラメータによって投影条件を変更し、アニメーション表示を行う具体例について説明する。
【００４２】
制御部１１は、第１パラメータ＝１、第２パラメータ＝１、および第３パラメータ＝１が特定された場合には、以下のようにして、アニメーション表示を行う投影速度を決定できる。
投影速度＝第１パラメータ×第２パラメータ×第３パラメータ×投影標準速度
＝１×１×１×１０ｃｍ／ｓ
＝１０ｃｍ／ｓ
【００４３】
また、制御部１１は、第１パラメータ＝３、第２パラメータ＝３、および第３パラメータ＝３が特定された場合には、以下のようにして、アニメーション表示を行う投影速度を決定できる。
投影速度＝第１パラメータ×第２パラメータ×第３パラメータ×投影標準速度
＝３×３×３×１０ｃｍ／ｓ
＝２７０ｃｍ／ｓ
【００４４】
なお、制御部１１は、第１パラメータ、第２パラメータ、および第３パラメータに対してあらかじめ設定された重み係数を考慮して、投影速度を決定することができる。重み係数は、例えば０〜１の間の数値として設定できる。上述した具体的な計算例は、重み係数がすべて１である場合に相当する。
【００４５】
なお、各種パラメータに基づいて変更する投影条件は、投影標準速度に限定されない。例えば、制御部１１は、各種パラメータに基づいて投影画像データの投影サイズを変更するようにして、アニメーション表示を流動的に変化させることも可能である。
【００４６】
また、表示する一連の画像データを、表示パラメータに応じて個別に画像データベース１３に記憶させておくことも可能である。この場合には、制御部１１は、第１パラメータに関しては、投影速度を算出するためには使用せず、第１パラメータに応じた一連の画像データを、投影用画像データとして画像データベース１３から取得することができる。そして、制御部１１は、第２パラメータおよび第３パラメータを用いて投影速度を算出し、第１パラメータに対応した投影用画像データを用いてアニメーション表示を行うことができる。
【００４７】
上述のように、手法１によれば、アニメーションを投影する際には、あらかじめ設定されている非流動的パラメータである第１パラメータ、アニメーションする際の状況に応じて流動的に変化する流動的パラメータである第２および第３パラメータという異なる観点によって決定されたパラメータに基づいて、投影用画像データを流動的に変更することができる。換言すると、手法１は、施設管理者の意図、周辺環境の状況、およびユーザの個人情報あるいは状況を、リアルタイムに投影画像に反映し、アニメーション表示を行うことができる。
【００４８】
図３は、本発明の実施の形態１に係る制御部１１において、手法１を適用してアニメーション表示を実行する際の一連処理を示したフローチャートである。ステップＳ３０１において、制御部１１は、表示パラメータ、環境パラメータ、およびユーザパラメータを含む外部信号を受信する。
【００４９】
次に、ステップＳ３０２において、制御部１１は、表示パラメータに対応する投影サイズ、投影標準速度、および第１パラメータを、固定指示データベース２１から取得する。
【００５０】
次に、ステップＳ３０３において、制御部１１は、環境パラメータに対応する第２パラメータを周辺環境データベース２２から取得する。次に、ステップＳ３０４において、制御部１１は、表示パラメータの設定に基づいて画像データベース１３から一連の画像データを取得する。
【００５１】
次に、ステップＳ３０５において、制御部１１は、ユーザパラメータに対応する第３パラメータをユーザ情報データベース２３から取得する。次に、ステップＳ３０６において、制御部１１は、第１パラメータ〜第３パラメータに応じて、一連の画像データの投影条件を変更する。そして、ステップＳ３０７において、制御部１１は、変更後の投影条件に従って一連の画像データを投影することで、アニメーション表示を実行する。
【００５２】
このような一連処理を実行することで、制御部１１は、第１パラメータ〜第３パラメータに基づいて、適切な一連の画像データを選択し、適切な投影条件でアニメーション表示を行うことができる。
【００５３】
［手法２］手法２は、以下の特徴を有する。
・投影画像を複数のパーツに分割して記憶する。
・分割した各パーツの画像形状、アニメーションの変化度合を、固定指示データベース２１、周辺環境データベース２２、およびユーザ情報データベース２３の各データベースから取得したパラメータの組み合わせに基づいて、個別に決定する。
・各パーツを統合して１つの投影用画像データを生成し、パーツごとに個別に決定したアニメーションの変化度合に基づいて、投影用画像データを流動的に変化させることでアニメーション表示を行う。
【００５４】
図４は、本発明の実施の形態１における手法２を適用する際の、各データベースのデータ構造を示した説明図である。画像データベース１３、固定指示データベース２１、周辺環境データベース２２、およびユーザ情報データベース２３のそれぞれに関するデータ構造を、図４を用いて以下に説明する。
【００５５】
＜画像データベース１３のデータ構造＞
各パーツデータと、各パーツを統合した後の全体図となる投影画像データとが、表示パラメータと関連付けられて、画像データベース１３内に記憶されている。
【００５６】
図４で示した４つの画像ＩＭＧ１、ＩＭＧ（１）〜ＩＭＧ（３）は、それぞれ以下のような画像である。
ＩＭＧ１：投影画像１における全体画像
ＩＭＧ１（１）：投影画像１を構成する１つ目のパーツ画像
ＩＭＧ１（２）：投影画像１を構成する２つ目のパーツ画像
ＩＭＧ１（３）：投影画像１を構成する３つ目のパーツ画像
【００５７】
すなわち、図４では、投影画像１が、３つのパーツ画像ＩＭＧ１（１）〜ＩＭＧ１（３）で構成され、３つのパーツ画像ＩＭＧ１（１）〜ＩＭＧ１（３）を統合することで、全体画像ＩＭＧ１となるデータとして、画像データベース１３内に記憶されている場合を例示している。なお、以下においては、アニメーション表示装置１０が、パーツ画像ＩＭＧ（１）の変化度合を固定指示データに応じて変化させ、パーツ画像ＩＭＧ（２）の変化度合を環境データに応じて変化させ、パーツ画像ＩＭＧ（３）の変化度合をユーザ情報に応じて変化させる場合について説明する。
【００５８】
＜固定指示データベース２１のデータ構造＞
固定指示データベース２１に格納されている固定指示データは、表示パラメータ、投影サイズ、投影標準速度、および第１パラメータからなる各構成要素が互いに関連付けられて構成されている。図４において、表示パラメータは、選択される投影画像の情報、およびアニメーション表示による誘導の優先度を示す情報を含んで構成されている。  
【００５９】
投影サイズは、例えば、パーツ画像ＩＭＧ１（１）の外形寸法であり、図４では、１ｍ×１ｍの値が標準の投影サイズとして設定されている。また、投影標準速度は、パーツ画像ＩＭＧ１（１）のアニメーション表示に用いられる投影速度であり、図４では、１０ｃｍ／ｓが標準の投影速度として設定されている。すなわち、図４の例では、固定指示データとして特定される投影サイズおよび投影標準速度は、１つ目のパーツ画像ＩＭＧ１（１）の表示パターンを決定する第１表示パターンとして使用される。
【００６０】
また、第１パラメータは、表示パラメータに含まれている優先度に関する情報を数値化したものであり、図４の例では以下のように設定されている。
優先度が低の場合  第１パラメータ＝１
優先度が中の場合  第１パラメータ＝２
優先度が高の場合  第１パラメータ＝３
【００６１】
＜周辺環境データベース２２のデータ構造＞
周辺環境データベース２２に格納されている周辺環境データは、環境パラメータ、投影サイズ、投影標準速度、および第２パラメータからなる各構成要素が互いに関連付けられて構成されている。図４において、環境パラメータは、空港ロビーにおける対象ゲートの混雑度に関する情報を含んで構成されている。
【００６２】
投影サイズは、例えば、パーツ画像ＩＭＧ１（２）の外形寸法であり、図４では、１ｍ×１ｍの値が標準の投影サイズとして設定されている。また、投影標準速度は、パーツ画像ＩＭＧ１（２）のアニメーション表示に用いられる投影速度であり、図４では、１２ｃｍ／ｓが標準の投影速度として設定されている。すなわち、図４の例では、周辺環境データとして特定される投影サイズおよび投影標準速度は、２つ目のパーツ画像ＩＭＧ１（２）の表示パターンを決定する第２表示パターンとして使用される。
【００６３】
また、第２パラメータは、環境パラメータに含まれている混雑度に関する情報を数値化したものであり、図４の例では以下のように設定されている。
混雑度が高の場合  第２パラメータ＝１
混雑度が中の場合  第２パラメータ＝２
混雑度が低の場合  第２パラメータ＝３
【００６４】
＜ユーザ情報データベース２３のデータ構造＞
ユーザ情報データベース２３に格納されているユーザ情報データは、ユーザパラメータ、投影サイズ、投影標準速度、および第３パラメータからなる各構成要素が互いに関連付けられて構成されている。図４において、ユーザパラメータは、アニメーション表示を視認するユーザの移動速度に関する情報を含んで構成されている。そして、第３パラメータは、ユーザの移動速度に関する情報を数値化したものであり、図４の例では以下のように設定されている。
移動速度が０．０＜Ｘ≦５．０の場合    第３パラメータ＝１
移動速度が５．０＜Ｘ≦１０．０の場合  第３パラメータ＝２
移動速度が１０．０＜Ｘの場合          第３パラメータ＝３
【００６５】
また、投影サイズは、例えば、パーツ画像ＩＭＧ１（３）の外形寸法であり、図４では、１ｍ×１ｍの値が標準の投影サイズとして設定されている。また、投影標準速度は、パーツ画像ＩＭＧ１（３）のアニメーション表示に用いられる投影速度であり、図４では、２０ｃｍ／ｓが標準の投影速度として設定されている。すなわち、図４の例では、ユーザ情報データとして特定される投影サイズおよび投影標準速度は、３つ目のパーツ画像ＩＭＧ１（３）の表示パターンを決定する第３表示パターンとして使用される。
【００６６】
次に、手法２において、外部信号に応じて特定された第１パラメータ、第２パラメータ、および第３パラメータによって、アニメーション表示を行う具体例について説明する。
【００６７】
制御部１１は、第１パラメータ＝１、第２パラメータ＝１、および第３パラメータ＝１が特定された場合には、以下のようにして、アニメーション表示を行う投影速度を決定できる。
１つ目のパーツ画像ＩＭＧ１（１）の投影速度
＝第１パラメータ×固定指示データとして規定されている投影標準速度
＝１×１０ｃｍ／ｓ
＝１０ｃｍ／ｓ
２つ目のパーツ画像ＩＭＧ１（２）の投影速度
＝第２パラメータ×周辺環境データとして規定されている投影標準速度
＝１×１２ｃｍ／ｓ
＝１２ｃｍ／ｓ
３つ目のパーツ画像ＩＭＧ１（３）の投影速度
＝第３パラメータ×ユーザ情報データとして規定されている投影標準速度
＝１×２０ｃｍ／ｓ
＝２０ｃｍ／ｓ
【００６８】
また、制御部１１は、第１パラメータ＝３、第２パラメータ＝３、および第３パラメータ＝３が特定された場合には、以下のようにして、アニメーション表示を行う投影速度を決定できる。
１つ目のパーツ画像ＩＭＧ１（１）の投影速度
＝第１パラメータ×固定指示データとして規定されている投影標準速度
＝３×１０ｃｍ／ｓ
＝３０ｃｍ／ｓ
２つ目のパーツ画像ＩＭＧ１（２）の投影速度
＝第２パラメータ×周辺環境データとして規定されている投影標準速度
＝３×１２ｃｍ／ｓ
＝３６ｃｍ／ｓ
３つ目のパーツ画像ＩＭＧ１（３）の投影速度
＝第３パラメータ×ユーザ情報データとして規定されている投影標準速度
＝３×２０ｃｍ／ｓ
＝６０ｃｍ／ｓ
【００６９】
上述したように、制御部１１は、第１パラメータ〜第３パラメータを個別に用いて、各パーツ画像ＩＧＭ１（１）〜ＩＭＧ（３）の投影速度を個別に特定できる。さらに、制御部１１は、変化度合に相当する投影速度が特定された各パーツ画像ＩＧＭ１（１）〜ＩＭＧ（３）を統合して、１つのアニメーションとして表示させることができる。
【００７０】
換言すると、表示パラメータに応じて変化度合を設定したいパーツ画像と、環境パラメータに応じて変化度合を設定したいパーツ画像と、ユーザパラメータに応じて変化度合を設定したパーツ画像とを個別に登録しておくことができる。この結果、流動的パラメータおよび非流動的パラメータに応じて、アニメーションの表示制御をよりきめ細かく行うことができる。
【００７１】
なお、上述した例では、各パラメータに応じて投影速度を変更する場合について説明したが、このような制御方法には限定されない。制御部１１は、各パラメータに応じて投影サイズを変更する、あるいは、投影速度と投影サイズをともに変更する、といった表示制御を行うことも可能である
【００７２】
また、制御部１１は、手法２を採用する際にも、手法１と同様に、第１パラメータ、第２パラメータ、および第３パラメータに対してあらかじめ設定された重み係数を考慮して、アニメーション表示の各設定を決定できる。
【００７３】
また、上述した例では、各パーツ画像ＩＭＧ１（１）〜ＩＭＧ１（３）は、それぞれ１つのパラメータに応じて変化度合を決定する場合について説明したが、このような制御方法には限定されない。制御部１１は、２つ以上のパラメータに応じて、１つのパーツ画像の変化度合を決定してもよい。
【００７４】
例えば、環境パラメータとして、混雑度合と気温という２つのパラメータがある場合には、その２つのパラメータの組合せで、２つ目のパーツ画像ＩＭＧ１（２）の投影サイズあるいは投影速度を決定してもよい。また、第１パラメータと第２パラメータとの組合せで、１つ目のパーツ画像ＩＭＧ１（１）の投影サイズあるいは投影速度を決定してもよい。すなわち、決定した投影サイズあるいは投影速度が適切な範囲になるようであれば、如何なるパラメータの組合せによって変化度合を決定してもよい。
【００７５】
図５は、本発明の実施の形態１に係る制御部１１において、手法２を適用してアニメーション表示を実行する際の一連処理を示したフローチャートである。ステップＳ５０１において、制御部１１は、表示パラメータ、環境パラメータ、およびユーザパラメータを含む外部信号を受信する。
【００７６】
次に、ステップＳ５０２において、制御部１１は、表示パラメータに対応する投影画像の全体画像および複数のパーツ画像を画像データベース１３から取得する。ここでは、図４に対応する説明を行うために、全体画像ＩＭＧ１、および３つのパーツ画像ＩＭＧ１（１）〜ＩＭＧ１（３）が取得できたとして、以下の説明を行う。
【００７７】
次に、ステップＳ５０３において、制御部１１は、表示パラメータに対応する投影サイズ、投影標準速度、および第１パラメータを、固定指示データベース２１から取得する。次に、ステップＳ５０４において、制御部１１は、固定指示データベース２１から取得した投影サイズ、投影標準速度、および第１パラメータに従って、１つ目のパーツ画像ＩＭＧ１（１）の投影条件を変更する。
【００７８】
次に、ステップＳ５０５において、制御部１１は、環境パラメータに対応する投影サイズ、投影標準速度、および第２パラメータを周辺環境データベース２２から取得する。次に、ステップＳ５０６において、制御部１１は、周辺環境データベース２２から取得した投影サイズ、投影標準速度、および第２パラメータに従って、２つ目のパーツ画像ＩＭＧ１（２）の投影条件を変更する。
【００７９】
次に、ステップＳ５０７において、制御部１１は、ユーザパラメータに対応する投影サイズ、投影標準速度、および第２パラメータをユーザ情報データベース２３から取得する。次に、ステップＳ５０８において、制御部１１は、ユーザ情報データベース２３から取得した投影サイズ、投影標準速度、および第３パラメータに従って、３つ目のパーツ画像ＩＭＧ１（３）の投影条件を変更する。
【００８０】
次に、ステップＳ５０９において、制御部１１は、変更後の投影条件に従って各パーツ画像を統合して投影することで、アニメーション表示を実行する。
【００８１】
このような一連処理を実行することで、制御部１１は、第１パラメータ〜第３パラメータに基づいて、適切なパーツ画像を選択し、パーツ画像ごとに適切な投影条件でアニメーション表示を行うことができる。
【００８２】
［手法３］手法３は、以下の特徴を有する。
・表示する一連の画像データを基本画像と誘導画像とに分けて記憶する。
・変化度合に従って誘導画像を流動的に変化させることでアニメーション表示を行う。
【００８３】
図６は、本発明の実施の形態１における手法３を適用する際の、各データベースのデータ構造を示した説明図である。画像データベース１３、固定指示データベース２１、周辺環境データベース２２、およびユーザ情報データベース２３のそれぞれに関するデータ構造を、図６を用いて以下に説明する。
【００８４】
＜画像データベース１３のデータ構造＞
手法３では、図６に示すように、表示する一連の画像データが、基本画像と誘導画像の２種類に分類されて、画像データベース１３に記憶されている。
【００８５】
ここで、基本画像は、アニメーション表示中に固定表示される画像に相当する。また、誘導画像は、アニメーション表示を行うために順次切り替えて表示される複数の画像に相当する。手法３では、基本画像と、複数の誘導画像との組合せにより、アニメーション表示が行われる。
【００８６】
＜固定指示データベース２１のデータ構造＞
固定指示データベース２１に格納されている固定指示データは、表示パラメータおよび第１パラメータからなる各構成要素が互いに関連付けられて構成されている。図６において、表示パラメータは、選択される基本画像の情報を含んで構成されている。
【００８７】
また、第１パラメータは、表示パラメータに含まれている基本画像に関する情報を数値化したものであり、図６の例では以下のように設定されている。
基本画像１が設定されている場合  第１パラメータ＝１
基本画像２が設定されている場合  第１パラメータ＝２
基本画像３が設定されている場合  第１パラメータ＝３
【００８８】
このように、表示パラメータは、アニメーション表示を行う施設の管理者が、基本画像を選択するために用いられる。管理者は、表示パラメータの設定により、基本画像をあらかじめ規定できる。さらに、管理者は、当日の開催イベント、当日の来場者の予想状況などに応じて、所望の基本画像に選択切り替えすることで、容易にアニメーション表示内容を設定変更することができる。
【００８９】
＜周辺環境データベース２２のデータ構造＞
周辺環境データベース２２に格納されている周辺環境データは、環境パラメータ、第１パラメータ、および第２パラメータからなる各構成要素が互いに関連付けられて構成されている。図６において、環境パラメータは、空港ロビーにおける対象ゲートの混雑度に関する情報を含んで構成されている。
【００９０】
また、第１パラメータは、固定指示データによって特定される値である。そして、第２パラメータは、環境パラメータに含まれている混雑度に関する情報と、特定された第１パラメータとの組合せによって特定される誘導画像を数値化したものであり、図６の例では以下のように設定されている。
混雑度が高であり、かつ第１パラメータ＝１の場合  第２パラメータ＝１
混雑度が中であり、かつ第１パラメータ＝１の場合  第２パラメータ＝２
混雑度が低であり、かつ第１パラメータ＝１の場合  第２パラメータ＝３
【００９１】
従って、環境パラメータと表示パラメータとの組合せによって、誘導画像を選択することが可能となる。
【００９２】
＜ユーザ情報データベース２３のデータ構造＞
ユーザ情報データベース２３に格納されているユーザ情報データは、ユーザパラメータおよび第３パラメータからなる各構成要素が互いに関連付けられて構成されている。図６において、ユーザパラメータは、アニメーション表示を視認するユーザの移動速度に関する情報を含んで構成されている。そして、第３パラメータは、ユーザの移動速度に関する情報に対応する投影速度を数値化したものであり、図６の例では以下のように設定されている。
移動速度が０．０＜Ｘ≦５．０の場合    第３パラメータ＝１０ｃｍ／ｓ
移動速度が５．０＜Ｘ≦１０．０の場合  第３パラメータ＝２０ｃｍ／ｓ
移動速度が１０．０＜Ｘの場合          第３パラメータ＝３０ｃｍ／ｓ
【００９３】
このように、手法３では、ユーザ情報データベース２３内に、第３パラメータと、投影画像の投影速度とが関連付けられたユーザ情報データがあらかじめ記憶されている。従って、第３パラメータにより、誘導画像を順次表示する際の投影速度が選択可能となる。
【００９４】
図７は、本発明の実施の形態１に係る制御部１１において、手法３を適用してアニメーション表示を実行する際の一連処理を示したフローチャートである。ステップＳ７０１において、制御部１１は、表示パラメータ、環境パラメータ、およびユーザパラメータを含む外部信号を受信する。
【００９５】
次に、ステップＳ７０２において、制御部１１は、基本画像を特定する表示パラメータに対応する第１パラメータを固定指示データベース２１から取得する。次に、ステップＳ７０３において、制御部１１は、環境パラメータに対応する第２パラメータを周辺環境データベース２２から取得する。次に、ステップＳ７０４において、制御部１１は、第１パラメータの設定に基づいて画像データベース１３から基本画像を取得し、第１パラメータと第２パラメータの設定に基づいて画像データベース１３から誘導画像を取得する。
【００９６】
次に、ステップＳ７０５において、制御部１１は、ユーザパラメータに対応する第３パラメータをユーザ情報データベース２３から取得する。次に、ステップＳ７０６において、制御部１１は、第３パラメータに応じて、誘導画像の投影条件を変更する。そして、ステップＳ７０７において、制御部１１は、基本画像を投影するとともに、変更後の投影条件に従って誘導画像を投影することで、アニメーション表示を実行する。
【００９７】
このような一連処理を実行することで、制御部１１は、第１パラメータ〜第３パラメータに基づいて、適切な基本画像および適切な誘導画像を選択し、適切な投影条件でアニメーション表示を行うことができる。
【００９８】
［手法４］手法４は、以下の特徴を有する。
・ユーザの誘導結果に基づいて投影用画像データを流動的に変化させることで、アニメーション表示を行う。
【００９９】
手法４では、上述した手法１〜手法３のいずれかによるアニメーション表示を行い、誘導に成功したか、失敗したかの結果をフィードバックし、このフィードバック結果を次のアニメーション表示の変更に利用する。
【０１００】
具体的には、手法４において、制御部１１は、アニメーション表示の実行結果として、ユーザの移動結果情報を取得し、移動結果情報に従って投影用画像データをさらに流動的に変化させることでアニメーション表示を行う。例えば、制御部１１は、手法１において、投影速度を１０ｃｍ／ｓと決定してアニメーション表示を行った結果を示す移動結果情報を外部信号として受信する。
【０１０１】
制御部１１は、ユーザの誘導に成功したことを示す移動結果情報が外部信号として得られた場合には、現状の投影速度を維持する。一方、制御部１１は、ユーザの誘導に失敗したことを示す移動結果情報が外部信号として得られた場合には、例えば、ユーザに対する誘導をより促すことができるように、投影速度を２倍にする、あるいは投影サイズを大きくするように投影条件を変更することにより、投影用画像データをさらに流動的に変化させる。
【０１０２】
なお、ユーザの誘導に成功したか否かの判断に当たっては、ユーザ１人の誘導結果で判断すると、アニメーション表示を変化させ過ぎるおそれがある。そこで、制御部１１は、複数のユーザの移動結果情報、あるいは一定の時間にわたる移動結果情報に基づいて投影条件を変更し、投影用画像データを流動的に変化させることが考えられる。例えば、連続して１０人のユーザの誘導結果が失敗であった場合に投影速度を２倍にする、あるいは１時間において５割以上のユーザの誘導結果が失敗であった場合に投影サイズを２倍にするなどが考えられる。
【０１０３】
次に、流動的に変化するアニメーション表示の具体例について説明する。
［具体例１］空港において、ユーザを所望のゲートに誘導する例
図８は、本発明の実施の形態１における具体例１で用いられる一連の画像データを示した図である。１０個のパーツ画像ＩＭＧ（１）〜ＩＭＧ（１０）が順番に表示されることで、アニメーション表示が行われる。
【０１０４】
上段に示したパーツ画像ＩＭＧ（１）〜ＩＭＧ（３）は、アニメーション開始時の３つの画像データである。中段に示したパーツ画像ＩＭＧ（４）〜ＩＭＧ（７）は、アニメーション実行中の４つの画像データである。下段に示したパーツ画像ＩＭＧ（８）〜ＩＭＧ（１０）は、アニメーション終了時の３つの画像データである。
【０１０５】
図９は、図８に示した一連の画像データに対して、表示パラメータ、環境パラメータ、およびユーザパラメータに基づいて、手法２によりアニメーション表示を流動的に変化させる一例を示した図である。空港において、ゲート４が空いているため、ユーザをゲート４に誘導させたい場合を考える。
【０１０６】
図９に示したアニメーション表示を行うためのパーツ画像ＩＭＧ（１）〜ＩＭＧ（１０）は、Ａ−１からＡ−５からなるＡ群、Ｂ−１からなるＢ群、Ｃ−１からなるＣ群、Ｄ−１からなるＤ群の各パーツ画像に大別され、それぞれのパーツ画像ごとに流動的な変化が与えられる。
【０１０７】
Ａ群は、周辺環境データ内の環境パラメータに応じて決定された変化度合に基づいて、表示処理の変更が行われる要素である。図９の例では、「ＧＡＴＥ４」の文字部分と、右方向へ曲がる矢印からなる図形部分の表示が、Ａ−１からＡ−５の５つのパターンで繰り返されることで、アニメーション表示が行われる。そして、ゲート４への移動を促す際のアニメーション表示として、制御部１１は、環境パラメータに対応する第２パラメータに応じて、Ａ−１からＡ−５のそれぞれの表示速度を、以下のように決定することができる。
Ａ−１：１０ｍ／ｓと設定し、ゆっくり表示
Ａ−２：５０ｍ／ｓと設定し、速く表示
Ａ−３：１ｓ表示
Ａ−４：１０ｍ／ｓと設定し、ゆっくり表示
Ａ−５：５０ｍ／ｓと設定し、速く表示
【０１０８】
次に、Ｂ群およびＣ群は、ユーザ情報データ内のユーザパラメータに応じて決定された変化度合に基づいて、表示処理の変更が行われるパーツ画像である。図９の例では、右向きの複数の矢印からなる図形部分の表示が、Ｂ−１のパターンで繰り返され、「ＦＡＳＴ」の文字部分の表示が、Ｃ−１のパターンで繰り返されることで、アニメーション表示が行われる。例えば、ユーザの移動速度をユーザパラメータとして、移動速度が遅い場合をａ、速い場合をｂとして変化度合が与えられた場合には、制御部１１は、Ｂ−１、Ｃ−１のそれぞれを以下のような条件で表示させることができる。
Ｂ−１：ａの場合、静止表示
ｂの場合、５０ｍ／ｓと設定し、速く表示
Ｃ−１：ａの場合、表示無し
ｂの場合、拡縮スピードを２５％／ｓと設定し、拡大・縮小を繰り返し表示
【０１０９】
次に、Ｄ群は、固定指示データ内の表示パラメータに応じて決定されるパーツ画像である。例えば、アニメーション表示を大きくさせたい場合をａ、小さくさせたい場合をｂとして、表示パラメータが与えられた場合には、制御部１１は、Ｄ−１を以下のような条件で表示させることができる。
Ｄ−１：ａの場合、投影サイズを２ｍ×２ｍにする
ｂの場合、投影サイズを１ｍ×１ｍにする
【０１１０】
図１０および図１１は、図８および図９で説明したアニメーション表示が行われた状態を示した図である。図１０は、ゲート１が混雑しており、ゲート４が空いているため、ゲート４にユーザを誘導したい場合の表示例を示している。また、図１１は、図１０と比較して、ゲート１とゲート４の両方にユーザを誘導したい場合の表示例を示している。
【０１１１】
なお、図１０のようにゲート４に誘導させたいか、あるいは図１１のようにゲート１とゲート４の両方に誘導させたいかは、空港の管理者によって表示パラメータとして設定変更される。そして、制御部１１は、表示パラメータ、環境パラメータ、およびユーザパラメータによる設定内容に応じて、各パーツ画像の表示処理を図９に示したように流動的に変化させることで、状況に応じた適切なアニメーション表示を行うことができる。
【０１１２】
［具体例２］夜のイベント会場において、ユーザを所望の場所に誘導する例
図１２は、夜のイベント会場においてアニメーション表示が行われた状態を示した図である。図１２では、Ａ〜Ｄの４つのイベント会場のそれぞれの誘導先がアニメーション表示されている。ここで、現在、図１２中の一番右側の表示に相当するイベントＤが実施中であり、イベントＤの場所にユーザを誘導させたい場合を考える。この場合、制御部１１は、イベントＡ〜Ｃに対応するアニメーション表示は静止させ、イベントＤに対応するアニメーション表示のみをゆっくり移動させながら表示させ、かつ、Ｄのイベント名もあわせて表示させることができる。
【０１１３】
ここで、どのイベントにユーザを誘導させたいかは、イベント会場の管理者によって表示パラメータとして設定される。そこで、制御部１１は、表示パラメータの設定内容に従って、図１２のような表示を行うための画像を、画像データベース１３から取得する。
【０１１４】
さらに、制御部１１は、環境パラメータおよびユーザパラメータによって設定されるパラメータに応じて、各パーツ画像の表示処理を流動的に変化させることで、状況に応じた適切なアニメーション表示を行うことができる。
【０１１５】
なお、ここでは夜のイベントについて説明したが、夜のイベントには限定されない。例えば日中における屋内イベント、あるいは投影画像の色温度を高くして日中においても屋外で見やすい投影とした場合は、屋外の日中のイベントにおいても利用することができる。
【０１１６】
［その他の具体例］
例えば、駅構内で、各ホームへの案内をアニメーション表示させたい場合がある。このような場合には、混雑度に応じて、混雑時には天井に表示させ、非混雑時には、床に表示させるように、表示場所を切り替えることが可能である。制御部１１は、このような表示場所の切り替えを、駅の管理者による表示パラメータの設定変更によって、あるいは環境パラメータとして取得可能な混雑度を示す値によって、行うことができる。
【０１１７】
また、テーマパークにおける案内表示に、本実施の形態１のアニメーション表示を適用する場合には、テーマパークの雰囲気を阻害しないようにすることが考えられる。例えば、過度なスピードの変化を用いたアニメーション表示、あるいは拡縮を用いたアニメーション表示を行わないように、投影用画像データを流動的に変化させることが考えられる。
【０１１８】
なお、上述した実施の形態１に係るアニメーション表示装置における各機能は、処理回路によって実現される。各機能を実現する処理回路は、専用のハードウェアであってもよく、メモリに格納されるプログラムを実行するプロセッサであってもよい。図１３は、本発明の実施の形態１に係るアニメーション表示装置の各機能を専用のハードウェアである処理回路１０００で実現する場合を示した構成図である。また、図１４は、本発明の実施の形態１に係るアニメーション表示装置の各機能をプロセッサ２００１およびメモリ２００２を備えた処理回路２０００により実現する場合を示した構成図である。
【０１１９】
処理回路が専用のハードウェアである場合、処理回路１０００は、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）、またはこれらを組み合わせたものが該当する。制御部１１および投影部１２における各部の機能それぞれを個別の処理回路１０００で実現してもよいし、各部の機能をまとめて処理回路１０００で実現してもよい。
【０１２０】
一方、処理回路がプロセッサ２００１の場合、制御部１１および投影部１２における各部の機能は、ソフトウェア、ファームウェア、またはソフトウェアとファームウェアとの組み合わせにより実現される。ソフトウェアおよびファームウェアは、プログラムとして記述され、メモリ２００２に格納される。プロセッサ２００１は、メモリ２００２に記憶されたプログラムを読み出して実行することにより、各部の機能を実現する。すなわち、アニメーション表示装置は、処理回路２０００により実行されるときに、一例として示した図３、図５、図７における各ステップが結果的に実行されることになるプログラムを格納するためのメモリ２００２を備える。
【０１２１】
これらのプログラムは、上述した各部の手順あるいは方法をコンピュータに実行させるものであるともいえる。ここで、メモリ２００２は、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）等の、不揮発性または揮発性の半導体メモリが該当する。また、磁気ディスク、フレキシブルディスク、光ディスク、コンパクトディスク、ミニディスク、ＤＶＤ等も、メモリ２００２に該当する。
【０１２２】
なお、上述した各部の機能について、一部を専用のハードウェアで実現し、一部をソフトウェアまたはファームウェアで実現するようにしてもよい。
【０１２３】
このように、処理回路は、ハードウェア、ソフトウェア、ファームウェア、またはこれらの組み合わせによって、上述した各部の機能を実現することができる。
【０１２４】
以上のように、実施の形態１によれば、表示パラメータ、環境パラメータ、およびユーザパラメータに基づいてアニメーション画像の表示処理を流動的に変化させることでアニメーション表示を行う構成を備えている。すなわち、実施の形態１に係るアニメーション表示装置は、流動的パラメータを、変更度合を示す定量的な指標として、アニメーション画像の表示処理を流動的に変化させることで、アニメーション表示を行うことができる。
【０１２５】
また、表示場所の管理者により設定変更された表示パラメータに従って、誘導先を容易に切り替えることができる。この結果、ユーザに対して、移動方向を識別しやすくするアニメーション表示を行うことができる。さらに、施設管理者にとっても、状況に応じて所望の場所にユーザを誘導させることが可能となる。
【符号の説明】
【０１２６】
１０  アニメーション表示装置、１１  制御部、１２  投影部、１３  画像データベース、２１  固定指示データベース、２２  周辺環境データベース、２３  ユーザ情報データベース。
【図１】
0006833139.tif 000002
【図２】
0006833139.tif 000003
【図３】
0006833139.tif 000004
【図４】
0006833139.tif 000005
【図５】
0006833139.tif 000006
【図６】
0006833139.tif 000007
【図７】
0006833139.tif 000008
【図８】
0006833139.tif 000009
【図９】
0006833139.tif 000010
【図１０】
0006833139.tif 000011
【図１１】
0006833139.tif 000012
【図１２】
0006833139.tif 000013
【図１３】
0006833139.tif 000014
【図１４】
0006833139.tif 000015